(57)【要約】【課題】デザインの自由度を向上させることができる表示装置を提供する。【解決手段】表示ユニット３０と、表示ユニット３０を収容し、表示ユニット３０を前面側に露出させる開口１１を有するケース部材１０と、表示ユニット３０の前面で開口１１を覆う保護部材２０と、表示ユニット３０と保護部材２０との間に表示ユニット３０と保護部材２０と密着して形成される透光性接着部材５０と、を備える。表示ユニット３０は、保護部材２０側に向かって突出し、透光性接着部材５０の少なくとも一部の周縁を囲う壁部材３７を有する。【選択図】図２
2020112759.tif 000002
【特許請求の範囲】
【請求項１】
表示ユニットと、
前記表示ユニットを収容し、前記表示ユニットを前面側に露出させる開口を有するケース部材と、
前記表示ユニットの前面で前記開口を覆う保護部材と、
前記表示ユニットと前記保護部材との間に前記表示ユニットと前記保護部材と密着して形成される透光性接着部材と、を備え、
前記表示ユニットは、前記保護部材側に向かって突出し、前記透光性接着部材の少なくとも一部の周縁を囲う壁部材を有する、表示装置。
【請求項２】
前記壁部材は、前記保護部材に隙間を介して対向する前端を有する、請求項１記載の表示装置。
【請求項３】
前記表示ユニットは、前記表示ユニットの前面側に前面枠を有し、
前記壁部材は、前記前面枠に設けられた、請求項１記載の表示装置。
【請求項４】
前記表示ユニットと前記保護部材とは、前記壁部材の外周側で両面粘着テープにより固定される、請求項１記載の表示装置。
【請求項５】
前記保護部材は、前記壁部材と対向する箇所に前記壁部材が前記保護部材に位置決めするための凹部を有する、請求項１記載の表示装置。
【発明の詳細な説明】
【技術分野】
【０００１】
本発明は、車両等に搭載される表示装置に関する。
【背景技術】
【０００２】
従来、表示パネルと、表示パネルの前面側に配置される保護板との間に、透明樹脂層を設けた表示装置が知られている（例えば特許文献１参照。）。この透明樹脂層は、例えばシリコーン系材料等からなる。透明樹脂層は、表示パネルと保護板との間に設けられた枠部材等で区画された領域に形成される。
【先行技術文献】
【特許文献】
【０００３】
【特許文献１】特開２００９−８６０７３号公報
【発明の概要】
【発明が解決しようとする課題】
【０００４】
車両等に搭載される表示装置は、車両のインストルメントパネル内等の限られた空間に配置される。このため、表示装置の外形寸法を規定するケース等の寸法は、予め決められた範囲で設定されなければならない。
【０００５】
しかし、上記のような枠部材がケース内に設けられた場合、枠部材は他の周辺部材とのクリアランスを必要とし、表示装置の寸法を大きくしてしまうという課題があった。
【０００６】
本発明はこのような事情を考慮してなされたもので、デザインの自由度を向上させることができる表示装置を提供することを目的とする。
【課題を解決するための手段】
【０００７】
本発明に係る表示装置は、上述した課題を解決するために、表示ユニットと、前記表示ユニットを収容し、前記表示ユニットを前面側に露出させる開口を有するケース部材と、前記表示ユニットの前面で前記開口を覆う保護部材と、前記表示ユニットと前記保護部材との間に前記表示ユニットと前記保護部材と密着して形成される透光性接着部材と、を備え、前記表示ユニットは、前記保護部材側に向かって突出し、前記透光性接着部材の少なくとも一部の周縁を囲う壁部材を有する。
【発明の効果】
【０００８】
本発明に係る表示装置においては、デザインの自由度を向上させることができる。
【図面の簡単な説明】
【０００９】
【図１】本発明に係る表示装置の実施形態を示す正面図。
【図２】図１のII−II線に沿う断面図。
【図３】表示ユニットの分解斜視図。
【図４】（ａ）は、第１の変形例としての表示装置を示す図、（ｂ）は、第２の変形例としての表示装置を示す図。
【図５】（ａ）は、第３の変形例としての表示装置を示す図、（ｂ）は、第４の変形例としての表示装置を示す図、（ｃ）は、第５の変形例としての表示装置を示す図。
【発明を実施するための形態】
【００１０】
本発明に係る表示装置の実施形態を添付図面に基づいて説明する。本発明に係る表示装置は、表示パネルと、この表示パネルを前面側で保護するための保護部材を有する表示装置の全てに適用することができ、例えば自動車や二輪車等の車両や、船舶、農業機械、建設機械に搭載され得る。
【００１１】
図１は、本発明に係る表示装置の実施形態である表示装置１を示す正面図である。
図２は、図１のII−II線に沿う断面図である。
【００１２】
以下の説明において、「前（前面）」、「後（背面）」、「上」、「下」、「右」、及び「左」は、図１及び図２における定義「Ｆｒ．」、「Ｒｅ．」、「Ｔｏ．」、「Ｂｏ．」、「Ｒ」、及び「Ｌ」に従う。
【００１３】
表示装置１は、ケース部材１０と、表示ユニット３０と、保護部材２０と、回路基板４０と、透光性接着部材５０と、両面粘着テープ６０と、を主に有する。
【００１４】
ケース部材１０は、黒色等の樹脂（例えばポリプロピレン）からなる。ケース部材１０は、表示ユニット３０、回路基板４０等を背面側から覆って保持し、外的衝撃や塵埃等から保護する。ケース部材１０は、表示パネル３１（表示ユニット３０）を前面側に露出させる開口１１を有する。開口１１は、表示パネル３１の前面で保護部材２０により覆われる。
【００１５】
保護部材２０は、板状部材であり、ケース部材１０の内部の表示ユニット３０、回路基板４０を前面側から覆って塵埃等から保護する。
【００１６】
保護部材２０は、基材２１と、印刷層２２と、を有する。基材２１は、透光性を有する熱可塑性樹脂（例えばポリカーボネート樹脂、ポリメタクリル酸メチル樹脂（ＰＭＭＡ）又は無機ガラス）である。印刷層２２は、基材２１の背面（又は前面及び両面）において、表示パネル３１のうちユーザに視認させる表示領域以外に設けられる遮光領域を形成する。
【００１７】
表示ユニット３０は、表示パネル３１と、バックライトユニット３２と、前面枠３６と、後面枠３８と、を有する。図３は、表示ユニット３０の分解斜視図である。
【００１８】
表示パネル３１は、例えばＴＦＴ（Thin Film Transistor）方式のノーマリーブラックタイプ（電圧非印加時、黒表示）の液晶表示パネルである。表示パネル３１は、液晶層を封入する一対の表面ガラス基板を有する。一対のガラス基板には、ＩＴＯ（Indium Tin Oxide）等により透明電極が形成される。また、表示パネル３１は、一対の表面ガラス基板を挟み込むように配置された一対の表面偏光板（偏光フィルタ）を有する。表示パネル３１は、ＦＰＣ（Flexible Printed Circuits、図示せず）を介して、回路基板４０に接続される。表示パネル３１は、回路基板４０の制御部により制御されることにより、透明電極を介して液晶層に駆動電圧が印加される。これにより、液晶層の液晶分子の配向が制御され、表示パネル３１の個々の画素の透過率が変化することにより画像を表示する。
【００１９】
バックライトユニット３２は、表示パネル３１の背面側に設けられる。バックライトユニット３２は、主に、光学シート３３、３４、導光体３５、光源を有し、表示パネル３１を背面側から照明する。光源は、複数のＬＥＤ（Light Emitting Diode）からなり、ＦＰＣ等の可撓性基板を介して、回路基板４０と接続される。ＬＥＤは、駆動電流が供給されると、導光体３５に向けて光を出射する。導光体３５は、ＬＥＤが出射した光を光学シート３３、３４を介して表示パネル３１に導く。導光体３５は、平板状に形成された、透明樹脂（例えば、ＰＣ（ポリカーボネート）である。
【００２０】
前面枠３６及び後面枠３８は、組み合わされることにより表示パネル３１及びバックライトユニット３２を収容する。前面枠３６は、後方が開口した箱体に形成された、金属製枠体である。後面枠３８は、前方が開口した箱体に形成された、金属製枠体である。前面枠３６と後面枠３８とは、嵌合し、表示パネル３１及びバックライトユニット３２を収容する。
【００２１】
前面枠３６は、表示ユニット３０の前面側で表示パネル３１を開口３６ａから露出させて、表示パネル３１の周縁を囲う。前面枠３６は、前側であって、組み立て時における保護部材２０側に向かって突出する壁部材３７を有する。
【００２２】
壁部材３７は、透光性接着部材５０の少なくとも一部の周縁を囲う。壁部材３７は、前面枠３６の内周縁３６ｂから前側に起ち上がった壁面３７ａと、前端３７ｂと、を有する。壁部材３７は、保護部材２０の印刷層２２の後側に位置するよう、形成される。すなわち、壁部材３７は、印刷層２２で遮蔽され、保護部材２０を介して表示装置１の前面側からは視認されない。前端３７ｂは、保護部材２０に隙間２を介して対向する。壁部材３７は、図３においては、内周縁３６ｂの全周に設けられるが、左右側のみや上下側のみの周縁に設けられていてもよく、また連続的ではなく断続的に設けられていてもよい。
【００２３】
回路基板４０は、表示ユニット３０を制御するための制御部を主に有する。制御部は、ＣＰＵ（Central Processing Unit）、ＲＯＭ（Read Only Memory）、ＲＡＭ（Random Access Memory）等を有しており、例えば、ＲＯＭに書き込まれたプログラムに従って所定の演算処理を実行する。制御部は、例えば、車両のＥＣＵ（Electronic Control Unit）から車速、エンジン回転数、各種車両情報、ナビゲーション情報等を、各種センサ等を介して取得する。制御部は、取得した情報に基づき、表示ユニット３０を制御し情報を表示させる。
【００２４】
透光性接着部材（接着部材）５０は、表示パネル３１（表示ユニット３０）と保護部材２０との間に、表示パネル３１と保護部材２０と密着して形成される。接着部材５０は、オプティカルボンディングにより表示パネル３１と保護部材２０とを接着する接着剤である。接着部材５０は、保護部材２０とほぼ同等の屈折率を有する、透明な樹脂材（例えばシリコーン系、ウレタン系、又はアクリル系樹脂）である。接着部材５０は、保護部材２０と、表示パネル３１との界面反射率を低減させるために設けられる。接着部材５０の厚みは、例えば５０μｍ〜２０００μｍである。
【００２５】
両面粘着テープ６０は、前面枠３６と保護部材２０とを、壁部材３７の外周側で固定する。両面粘着テープ６０は、前面枠３６の前面３６ｃの所要箇所に設けられる。両面粘着テープ６０は、壁部材３７の前端３７ｂよりも前側に突出する厚さを有する。
【００２６】
次に、保護部材２０と表示パネル３１とを組み立てる際の作業について説明する。
【００２７】
まず、保護部材２０と前面枠３６の前面３６ｃとを、両面粘着テープ６０で接着する。このとき、壁部材３７の前端３７ｂは、保護部材２０と接することなく、隙間２を介して対面する。
【００２８】
次に、壁部材３７で囲まれた空間に、接着部材５０となる液体状の透明樹脂材料を流し込む。接着部材５０は、壁部材３７が堤防のように機能することにより、両面粘着テープ６０側に溢れ出すことを低減できる。このため、透明樹脂材料が両面粘着テープ６０にまで流れ、両面粘着テープ６０の接着性を低下させることを低減できる。流し込まれた透明樹脂材料は、所要の硬化処理が施されることにより硬化し、接着部材５０となる。
【００２９】
このような表示装置１は、デザインの自由度を向上させることができる。すなわち、接着部材５０の堤防として機能する部材を前面枠３６（表示ユニット３０）とは別体で形成した場合、この部材と開口３６ａとの間にはクリアランスを設ける必要がある。しかし、本実施形態における表示装置１は、開口３６ａと一体に形成された壁部材３７を有するため、このようなクリアランスを省略でき、ケース部材１０内に必要な収容空間を低減できる。これにより、表示装置１を小型化することもでき、デザインの自由度を向上させることができる。
【００３０】
また、表示装置１は、接着部材５０の堤防として機能する部材を別体で形成した場合に比べ、部品点数を削減でき、表示装置１の部品コストを低減することもができる。
【００３１】
更に、壁部材３７と保護部材２０との間には、隙間２が設けられるため、仮に透明樹脂材料の流し込み量が多くなった場合であっても、隙間２から壁部材３７の外側への透明樹脂材料の逃げ道を形成することができる。これにより、過剰な接着部材５０により保護部材２０と表示ユニット３０とを引き剥がす方向に圧力がかかることを防止することができる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３３】
例えば、壁部材は、上述した壁部材３７のような、前側に起ち上がった壁形状である場合に限らず、前側に突出する種々の形状であってもよい。
【００３４】
例えば、図４（ａ）は、第１の変形例としての表示装置を示す図、（ｂ）は、第２の変形例としての表示装置を示す図である。図２の表示装置１と対応する構成及び部分については同一の符号を付し、重複する説明を省略する。
【００３５】
図４（ａ）に示す壁部材７０は、前面枠３６の内周縁３６ｂから立ち上がった後、更に外周側に折れ曲がることにより形成される曲げ部７１を有する。壁部材７０は、曲げ部７１によって前側へ一定高さの壁面７２を形成することができ、壁面７２は接着部材５０の堤防として機能することができる。
【００３６】
図４（ｂ）に示す壁部材８０は、凸状に盛り上がった曲げ部８１を有する。前後方向を面方向とする一定高さの曲げ部８１は、接着部材５０の堤防として機能することができる。
【００３７】
また、壁部材は、接着部材の堤防として機能するのみならず、表示ユニットの保護部材に対する位置決め部材を兼ねてもよい。
【００３８】
例えば、図５（ａ）は、第３の変形例としての表示装置を示す図、（ｂ）は、第４の変形例としての表示装置を示す図、（ｃ）は、第５の変形例としての表示装置を示す図である。図２の表示装置１と対応する構成及び部分については同一の符号を付し、重複する説明を省略する。
【００３９】
図５（ａ）の壁部材９０が図２の壁部材３７と異なる点は、壁部材９０が両面粘着テープ６０よりも前側に突出する高さ（前後方向長さ）を有する点である。
【００４０】
保護部材１００は、透光部１０１と、遮光部１０２と、を有する。透光部１０１は、上述した保護部材２０と同様、透明な樹脂部材である。透光部１０１は、表示パネル３１の表示領域に形成される。遮光部１０２は、透光部１０１の外周に形成され、遮光性の樹脂部材である。遮光部１０２は、壁部材９０の前端９１と対向する箇所に、前端９１が保護部材１００に位置決めするための凹部１０３を有する。
【００４１】
このような表示装置は、保護部材１００と表示ユニット３０とを位置決めする際、保護部材１００と表示ユニット３０とを別途の治具により保持して位置決めする必要がなく、保護部材１００及び表示ユニット３０のみで位置決めすることができる。また、壁部材９０及び凹部１０３で精度よく位置決めすることができるため、保護部材１００の透光部１０１と表示ユニット３０の表示領域との位置ずれを抑制することができる。
【００４２】
更に、図５（ｂ）に示すように、壁部材１１０は、前面枠３６の内周縁３６ｂから立ち上がった後、後側に折れ曲がることにより形成される曲げ部１１１を有してもよい。この場合、曲げ部１１１が凹部１０３と嵌まり合い、位置決めされる。
【００４３】
更にまた、図５（ｃ）に示すように、壁部材１２０を前面枠以外に設けてもよく、例えば後面枠３８に設けてもよい。この場合、前面枠３６及び両面粘着テープ６０は省略される。
【符号の説明】
【００４４】
１  表示装置
２  隙間
１０  ケース部材
１１  開口
２０、１００  保護部材
２１  基材
２２  印刷層
３０  表示ユニット
３１  表示パネル
３２  バックライトユニット
３３  フロントフレーム
３４  光源基板
３５  リアケース
３６  前面枠
３６ａ  開口
３６ｂ  内周縁
３６ｃ  前面
３７、７０、８０、９０、１１０、１２０  壁部材
３７ａ、７２  壁面
３７ｂ、９１  前端
３８  後面枠
４０  回路基板
５０  透光性接着部材（接着部材）
６０  両面粘着テープ
７１、８１、１１１  曲げ部
１０１  透光部
１０２  遮光部
１０３  凹部
【図１】
2020112759.tif 000003
【図２】
2020112759.tif 000004
【図３】
2020112759.tif 000005
【図４】
2020112759.tif 000006
【図５】
2020112759.tif 000007